(57)【要約】【課題】エレクトロルミネッセンス素子の発光に際してのタイムラグを短くする。【解決手段】電源電圧を昇圧する昇圧手段１０３と、該昇圧手段の出力により充電される主コンデンサ１１８と、該主コンデンサの充電を制御する充電制御手段と、前記主コンデンサの充電電荷を消費して発光する発光手段１１７と、前記主コンデンサの充電電圧の印加により発光するエレクトロルミネッセンス素子１１６と、該エレクトロルミネッセンス素子の発光をオン／オフするスイッチ手段１０９とを備えた発光装置又は撮像装置において、前記充電制御手段は、前記エレクトロルミネッセンス素子を発光させない場合には、前記主コンデンサを第１の所定電圧まで充電し、前記エレクトロルミネッセンス素子を発光させる場合には、前記第１の所定電圧より低い第２の所定電圧まで充電する。【選択図】図２
2005250332.tif 000002
【特許請求の範囲】
【請求項１】
電源電圧を昇圧する昇圧手段と、該昇圧手段の出力により充電される主コンデンサと、該主コンデンサの充電を制御する充電制御手段と、前記主コンデンサの充電電荷を消費して発光する発光手段と、前記主コンデンサの充電電圧の印加により発光するエレクトロルミネッセンス素子と、該エレクトロルミネッセンス素子の発光をオン／オフするスイッチ手段とを備えた発光装置において、
前記充電制御手段は、前記エレクトロルミネッセンス素子を発光させない場合には、前記主コンデンサを第１の所定電圧まで充電し、前記エレクトロルミネッセンス素子を発光させる場合には、前記第１の所定電圧より低い第２の所定電圧まで充電することを特徴とする発光装置。
【請求項２】
前記スイッチ手段は、前記主コンデンサが前記第２の所定電圧に充電されるまで前記エレクトロルミネッセンス素子の発光をオンしないことを特徴とする請求項１に記載の発光装置。
【請求項３】
前記充電制御手段は、前記エレクトロルミネッセンス素子の発光中、前記主コンデンサの充電電圧が前記第２の所定電圧より低い第３の所定電圧以下となったら前記第２の所定電圧まで充電を行うことを特徴とする請求項１に記載の発光装置。
【請求項４】
電源電圧を昇圧する昇圧手段と、該昇圧手段の出力により充電される主コンデンサと、該主コンデンサの充電を制御する充電制御手段と、前記主コンデンサの充電電荷を消費して発光する発光手段と、前記主コンデンサの充電電圧の印加により発光するエレクトロルミネッセンス素子と、該エレクトロルミネッセンス素子の発光をオン／オフするスイッチ手段とを備えた撮像装置において、
前記充電制御手段は、前記エレクトロルミネッセンス素子を発光させない場合には、前記主コンデンサを第１の所定電圧まで充電し、前記エレクトロルミネッセンス素子を発光させる場合には、前記第１の所定電圧より低い第２の所定電圧まで充電することを特徴とする撮像装置。
【発明の詳細な説明】
【技術分野】
【０００１】
本発明は、カメラの電子閃光装置などとして使用されるのに好適なエレクトロルミネッセンス素子を有する発光装置及び撮像装置に関するものである。
【背景技術】
【０００２】
ストロボの充電電圧を使ってＥＬ素子（エレクトロルミネッセンス素子）の点灯を行う従来の技術は、特開平１−２６５２３７号公報（特許文献１）に示されるように放電管の放電ループ内に設けられたスイッチ手段で放電管に並列に接続されたＥＬ素子の発光駆動を行うものであった。
【特許文献１】特開平１−２６５２３７号公報
【発明の開示】
【発明が解決しようとする課題】
【０００３】
しかしながら、上記従来例は、ＥＬ素子の発光に際してのタイムラグ（充電時間）或いは主コンデンサ電圧の低下によるＥＬ素子の明るさの変化に対して考慮されているものではなかった。
【０００４】
（発明の目的）
本発明の目的は、エレクトロルミネッセンス素子の発光に際してのタイムラグを短くすることができる発光装置及び撮像装置を提供することである
【課題を解決するための手段】
【０００５】
上記目的を達成するために、請求項１又は４に記載の本発明は、電源電圧を昇圧する昇圧手段と、該昇圧手段の出力により充電される主コンデンサと、該主コンデンサの充電を制御する充電制御手段と、前記主コンデンサの充電電荷を消費して発光する発光手段と、前記主コンデンサの充電電圧の印加により発光するエレクトロルミネッセンス素子と、該エレクトロルミネッセンス素子の発光をオン／オフするスイッチ手段とを備えた発光装置又は撮像装置において、前記充電制御手段が、前記エレクトロルミネッセンス素子を発光させない場合には、前記主コンデンサを第１の所定電圧まで充電し、前記エレクトロルミネッセンス素子を発光させる場合には、前記第１の所定電圧より低い第２の所定電圧まで充電することを特徴とするものである。
【０００６】
また、請求項２に記載の本発明は、請求項１に記載された発光装置において、前記スイッチ手段が、前記主コンデンサが前記第２の所定電圧に充電されるまで前記エレクトロルミネッセンス素子の発光をオンしないことを特徴とするものである。
【０００７】
また、請求項３に記載の本発明は、請求項１に記載された発光装置において、前記充電制御手段が、前記エレクトロルミネッセンス素子の発光中、前記主コンデンサの充電電圧が前記第２の所定電圧より低い第３の所定電圧以下となったら前記第２の所定電圧まで充電を行うことを特徴とするものである
【発明の効果】
【０００８】
請求項１〜３に記載の本発明によれば、エレクトロルミネッセンス素子の発光に際してのタイムラグを短くすることができる。
【０００９】
請求項２に記載の本発明によれば、エレクトロルミネッセンス素子の発光開始時の輝度を一定にすることができる。
【００１０】
また、請求項３に記載の本発明によれば、エレクトロルミネッセンス素子の適正な発光輝度を維持することができる。
【００１１】
また、請求項４に記載の本発明によれば、エレクトロルミネッセンス素子の発光に際してのタイムラグを短くすることができる撮像装置を構成することができる。
【発明を実施するための最良の形態】
【００１２】
本発明を実施するための最良の形態は、後述する実施例に記載の通りである。
【実施例】
【００１３】
図１及び図２を用いて本発明の一実施例の説明をする。図１は本実施例のカメラのブロック図である。１は制御ＩＣで、カメラの測光、測距、レンズ駆動、シャッター駆動、フィルム給送、及びストロボ閃光装置の充電及び閃光制御等のカメラシーケンス及びそれに付随するＥＬ駆動を行う。１ａはマイコンで、制御ＩＣ１内の記憶手段であるＲＡＭを有し、カメラシーケンスの制御を行う。１ｂはＡ／Ｄコンバータ(以後Ａ／Ｄ)で、入力された電圧をデジタル化する。
【００１４】
２はカメラ全体を電源供給状態にするメインスイッチ、３は撮影準備スイッチ（以後ＳＷ１）で、シャッター釦の第１ストロークでカメラ内の電気回路を起動させ、測光及び測距等の検出を行わせる。４はレリーズスイッチ（以後ＳＷ２）で、シャッター釦の第２ストロークで前記ＳＷ１以降の撮影シーケンスの起動信号となる。５は後述の表示装置の照明であるところのＥＬ素子を点灯させるＥＬスイッチ（ＳＷ３）であり、６はストロボ充電回路及びＥＬ点灯回路で、ストロボの充電とＥＬ素子の点灯駆動を行うものである。本回路６の詳細は後述する。７は測光回路で、被写体輝度を検出するもの、８は測距回路で、被写体までの距離を検出するもの、９はレンズ駆動回路で、測距回路８からの検出結果をもとに撮影レンズの駆動を行い、フィルム面に被写体ピントを合わせるもの、１０はシャッター駆動回路で測光回路７の測光結果をもとにシャッターの駆動制御を行うもの、１１はフィルム駆動回路で、フィルムのオートローディング、巻き上げ、巻戻しを行うもの、１２は表示装置で、カメラの枚数表示及びカメラの撮影モード等の使用状態を表示するものである。
【００１５】
ここで、カメラは記録媒体としてフィルムを用いるものに限られるものではなく、撮影光学系を通過した被写体像を電気信号に変換する撮像素子を備えたデジタルカメラやデジタルビデオカメラ等の撮像装置であっても構わない。
【００１６】
次に図２によりストロボ充電回路及びＥＬ点灯回路６の回路の説明をする。このストロボ充電回路及びＥＬ点灯回路６はカメラ本体に内蔵されたものであっても、カメラ本体に接続して使用するストロボ装置に内蔵されたものであってもよい。１０１は電源であるところの電池、１０２はコンデンサで、電池１０１と並列に接続されている。１０３はストロボ充電回路で、制御ＩＣ１からの制御によって、電池１０１の電圧を昇圧して後述の主コンデンサ１１８に電荷を蓄積する。１０４，１０５は抵抗で、直列接続され、主コンデンサ１１８と並列に接続されている。そして、主コンデンサ１１８の電圧を抵抗１０４と抵抗１０５で分圧し、その分圧電圧を端子ａから前記制御ＩＣ１内のＡ／Ｄ１ｂに入力している。１０６はＥＬ素子であり、一端が主コンデンサ１１８の陽極に、他端が後述の抵抗１０７と抵抗１０８の接続点に、それぞれ接続されている。１０７，１０８は抵抗で、直列接続されている。１０９はスイッチング素子であるところの電界効果トランジスタ（以後ＦＥＴ）で、ドレインが抵抗１０８の一端と接続され、ソースが主コンデンサ１１８の陰極に接続されている。ゲートは端子ｂを介してＥＬ駆動制御手段であるところの制御ＩＣ１に接続されている。１１０は抵抗で、前記ＦＥＴのゲートのプルダウン抵抗である。抵抗１０７、抵抗１０８及びＦＥＴ１０９でＥＬ素子１０６の駆動手段を構成している。１１１は抵抗で、一端が主コンデンサ１１８の陽極に接続されている。１１２は抵抗内蔵型サイリスタ（以後ＳＣＲ）で、アノードが抵抗１１１に、カソードが主コンデンサ１１８の陰極に、それぞれ接続されている。１１３は抵抗で、一端がＳＣＲ１１２のゲートに接続され、他端が端子ｃを介して制御ＩＣ１に、それぞれ接続されている。１１４はコンデンサで、ＳＣＲ１１２のゲート・カソード間に接続されている。１１５はコンデンサで、一端がＳＣＲ１１２のアノード及び抵抗１１１に接続され、他端が後述のトリガートランス１１６の一次巻線Ｐに接続されている。１１６はトリガートランスで、二次巻線Ｓが後述のキセノン管１１７の透明電極に接続され、抵抗１１１、ＳＣＲ１１２、抵抗１１３、コンデンサ１１４、コンデンサ１１５及びトリガートランス１１６で、キセノン管１１７のトリガー回路を構成している。１１８は主コンデンサで、ストロボ充電回路１０３により電池１０１の電圧が昇圧された電圧を蓄積する。１１７はキセノン管で、主コンデンサ１１８に蓄積された電荷を放電発光させる。
【００１７】
次に、図５、図６及び図７のフローチャートにて一実施例のシーケンスの説明をする。図５のフローチャートから説明する。図５のフローチャートではメインスイッチ２のオンによりカメラ全体が電源供給状態にある。ステップＳ１０１でシャッター釦の第１ストロークでオンされるＳＷ１のオンの検出を行う。ここでＳＷ１のオンを検出したら、ステップＳ１０２に進む。また、ステップＳ１０１でＳＷ１がオフであったら、ステップＳ１１６でＥＬスイッチ５がオンされたか否かの検出を行う。ここでＥＬスイッチ５がオフであったら、ステップＳ１０１に戻る。また、ステップＳ１１６でＥＬスイッチ５のオンを検出したら、ステップＳ１１７に進み、ステップＳ１１７にてカメラの電池電圧がカメラ動作可能なレベルであるか否かを検出するためのバッテリーチェックを行う。その電池電圧のＡ／Ｄを行った検出結果を、マイコン１ａ内のＲＡＭに記憶する。次にステップＳ１１８では、ステップＳ１１７にて行い、ＲＡＭに記憶しているバッテリーチェック結果から電池電圧がカメラ動作可能な電圧であるか否かの判定を行い、動作可能電圧であったら、ステップＳ１１９のＥＬモードに進み、動作が不可能な電圧であったらステップＳ１０１に戻る。
【００１８】
次にステップＳ１１９で行われるＥＬモードの詳細を、図６のフローチャートで説明する。ステップＳ３０１でＥＬ点灯に際しての充電タイマーをスタートさせる。次に、ストロボ充電回路１０３の充電動作を開始して、主コンデンサ１１８への電荷の蓄積を開始する。次にステップＳ３０３にて主コンデンサ１１８の充電電圧の検出のために抵抗１０４と抵抗１０５の分圧電圧のＡ／Ｄ１ｂによるＡ／Ｄ変換動作を行わせ、その結果をマイコン１ａ内のＲＡＭに記憶して、ステップＳ３０４に進み、主コンデンサ１１８の充電電圧が第２の所定電圧以上であるか否かの比較を行う。ここで、充電電圧が第２の所定電圧以上であったらステップＳ３０５に進み、ステップＳ３０２で開始した充電を停止する、また充電電圧が第２の所定電圧以下であったら充電を継続しながら、ステップＳ３０１でスタートした充電タイマーがカウントアップしたか否かの比較をステップＳ３１６にて行い、充電タイマーがカウントアップ時間に至っていない場合は、主コンデンサ１１８の充電電圧が第２の所定電圧に達するまで充電を継続する。また、充電タイマーがカウントアップ時間に達していたら、ステップＳ３０２に開始した充電をステップＳ３１７にて停止して、ステップＳ３１８にて充電ＮＧフラグを立てＥＬモードを終了する。
【００１９】
次にステップＳ３０２で開始して継続していた充電により、主コンデンサ１１８の充電電圧がステップＳ３０４にて第２の所定電圧に達したら、ステップＳ３０２にて開始した充電をステップＳ３０５にて停止する。ところで、第２の所定電圧は、後述のストロボ充電時の充電電圧に対して低い電圧であり、後述のステップＳ３０６で行うＥＬ点灯に際して充分な発光輝度が得られる必要な電圧２００Ｖ程度である。このようにＥＬ点灯電圧である第２の所定電圧をストロボ充電電圧より低く、ＥＬ点灯に際して充分な発光輝度が得られる必要な電圧にすることにより、充電開始から点灯開始までのタイムラグを短くするができる。
【００２０】
ＥＬ点灯シーケンスに戻り、ステップＳ３０４にて主コンデンサ１１８の充電電圧が第２の所定電圧以上に達したことを検出して、ステップＳ３０２にて開始した充電をステップＳ３０５にて停止をして、ステップＳ３０６にてＥＬ点灯の駆動周波数及びデューティーを決定する。この駆動周波数とデューティーは、主コンデンサ１１８の第２の所定電圧以上であるところの充電電圧により決定するものである。このときの充電電圧は、ステップＳ３０３にて行ったＡ／Ｄ変換動作の一回目で第２の所定電圧以上であった場合、第２の所定電圧以上で後述するストロボ充電時の充電電圧である第１の所定電圧以下（後述のストロボ発光後の予備充電による充電のため）となる。また、ステップＳ３０３にて行ったＡ／Ｄ変換動作の一回目で第２の所定電圧以下であった場合の第２の所定電圧となる。即ち、このときの充電電圧は“第２の所定電圧≦充電電圧≦第１の充電電圧”となる。
【００２１】
ここで例えば、ストロボ充電電圧である第１の所定電圧が３２０Ｖで、ＥＬ点灯開始可能電圧である第２の所定電圧が２００Ｖであった場合の駆動周波数及びデューティーの関係を図４のタイミングチャートをもとに説明する。ここで充電電圧が第２の所定電圧の２００Ｖでは、図４（ａ）に示すように端子ｂにパルスｐが印加されると、ＥＬ素子１０６のＴ１−Ｔ２間にかかる電圧が、第２の所定電圧の２００Ｖの１／２の約１００Ｖ（抵抗１０７と抵抗１０８の抵抗比が１：１の時）となる。しかし、充電電圧が第１の所定電圧の３２０Ｖであった場合、駆動周波数及びデューティーが第２の所定電圧時と同様の駆動条件であった場合のＥＬ素子１０６のＴ１−Ｔ２間にかかる電圧は、図４（ｂ）の細線に示すように約１６０Ｖとなる。ＥＬ素子１０６の一般的な駆動電圧は１００Ｖ程度が適正で、その電圧以上になると耐久性能が低下する性質を持っている。即ち、主コンデンサ１１８の充電電圧が第２の所定電圧より高い場合、第２の所定電圧で駆動を行っていた駆動条件で駆動を行った場合、ＥＬ素子１０６の耐久性能を低下させることになる。よって、ステップＳ３０３にて検出したＡ／Ｄ変換動作の結果に応じてＥＬ素子１０６の駆動周波数及びデューティー（＝パルスｐの周波数及びデューティー）を図４（ｂ）のｐからｐ’のように変更する。このようにＥＬ素子１０６の駆動条件を変更することにより、ＥＬ素子１０６のＴ１−Ｔ２間の端子間電圧は１００Ｖを超えることがなくなり、ＥＬ素子１０６の耐久性は低下することがなくなる。また、この駆動周波数及びデューティーと充電電圧の関係は、例えば、メモリーに記憶しているテーブル、或いは計算式により求めればよい。また、具体的なテーブル、或いは計算式は抵抗１０７や抵抗１０８の回路の乗数やＥＬ素子１０６の面積より変化する容量等に応じて任意に設定すれば良いことは言うまでもない。
【００２２】
シーケンスに戻り、以上のように決定されたＥＬ素子１０６の駆動周波数及びデューティーで、ＥＬ素子１０６の点灯駆動をステップＳ３０７にてＥＬ駆動制御手段であるところの制御ＩＣ１より端子ｂを経てＦＥＴ１０９のゲートにＥＬ駆動信号を出力してＥＬ点灯を開始するとともに、ＥＬ素子１０６を所定時間点灯するＥＬ点灯タイマーの計時を開始する。次にステップＳ３０８で計時を開始した点灯時間が所定時間経過したか否かの判定を行う。ここで所定時間が経過していなかったら、ステップＳ３０９にて主コンデンサ１１８の充電電圧の検出をＡ／Ｄ１ｂにて行い、マイコン１ａのＲＡＭに記憶する。次にステップＳ３０９にて行った主コンデンサ１１８のＡ／Ｄ変換動作の結果から、ＥＬ点灯により第２の所定電圧以上あった主コンデンサ１１８の電圧が第３の所定電圧以下に低下していないかの判定を行う。この第３の所定電圧は、第２の所定電圧より低い電圧であって、例えば、第２の所定電圧に対して、５Ｖ程度低い電圧である。但し、この第３の所定電圧は、限定されるものでは無く、ＥＬ点灯に際して主コンデンサ１１８の電圧の低下によりＥＬ点灯中にちらつき等の発生しない電圧であれば任意に設定してよい。
【００２３】
シーケンスに戻り、ステップＳ３１０にて主コンデンサ１１８の充電電圧が第３の所定電圧以下でなかったら、ステップＳ３０８のＥＬ点灯タイマーカウントアップの判定に戻る。またここで、第３の所定電圧以下であったら、ステップＳ３１１に進み、ステップＳ３０２と同様にストロボ充電回路１０３の充電を開始して主コンデンサ１１８への電荷の蓄積を開始する。次にステップＳ３１２にて主コンデンサ１１８の充電電圧の検出のために抵抗１０４と抵抗１０５の分圧電圧のＡ／Ｄ１ｂによるＡ／Ｄ変換動作を行い、その結果をマイコン１ａのＲＡＭに記憶して、ステップＳ３１３に進み、主コンデンサ１１８の充電電圧が第２の所定電圧以上であるか否かの比較を行う。ここで、充電電圧が第２の所定電圧以上であったらステップＳ３１４に進み、ステップＳ３１１で開始した充電を停止する。また、充電電圧が第２の所定電圧以上でなかった場合、ステップＳ３１２に戻り、ステップＳ３１１に開始した充電を継続しながら充電電圧がステップＳ３１３で第２の所定電圧以上を検出するまで行い、第２の所定電圧以上を検出したらステップＳ３１４で充電を停止して、ステップＳ３０８に戻る。上記ステップＳ３０８〜Ｓ３１４のルーチンを繰り返しながら、主コンデンサ１１８の充電電圧を図３に示すように第２の所定電圧と第３の所定電圧の間に維持し、ＥＬ点灯のちらつきや光量低下を防いでいる。次にステップＳ３０８のＥＬ点灯タイマーカウントアップでＥＬ点灯から所定時間経過したか否かを判定し、所定時間経過していたら、ステップＳ３１５に進み、ステップＳ３０７から開始したＥＬ駆動を停止して、ステップＳ１１９のＥＬモードでのＥＬ点灯シーケンスを終了する。
【００２４】
次に、前述のステップＳ１０１のＳＷ１のオンの検出に戻り、ＳＷ１のオンを検出したら、ステップＳ１０２にてカメラの電池電圧がカメラ動作可能な電圧であるか否かを検出するための、バッテリーチェックを行い、その電池電圧のＡ／Ｄ変換動作を行った結果を、マイコン１ａのＲＡＭに記憶する。次にステップＳ１０３で、ＲＡＭに記憶しているバッテリーチェック結果から電池電圧がカメラ動作可能な電圧であるか否かの判定を行い、動作可能電圧であったらステップＳ１０４に、動作が不可能な電圧であったらステップＳ１０１に、それぞれ進む。
【００２５】
次に、ステップＳ１０４で測距回路８により被写体までの距離を検出し、マイコン１ａのＲＡＭに測距結果を記憶する、次にステップＳ１０５で被写体輝度の検出を測光回路７により行い、測距と同様にマイコン１ａのＲＡＭに測光結果を記憶する、次にステップＳ１０６にてＲＡＭに記憶している測光データをもとにストロボ充電が必要であるか否かの判定を行う。このストロボ発光が必要な場合としては、撮影状況が暗い、或いは逆光等がある場合である。ここでストロボ発光が必要であったらステップＳ１０７に、必要なかったらステップＳ１０９に進み、ＳＷ２のオンの待機状態になる。ステップＳ１０６にてストロボ発光が必要でステップＳ１０７のフラッシュモードに進んだら、図７のフローチャートの充電シーケンスを行う。
【００２６】
まず、ステップＳ２０１で充電タイマーをスタートする。次にステップＳ２０２で、ストロボ充電回路１０３による主コンデンサ１１８の充電を開始する。次にステップＳ２０３にて制御ＩＣ１のＡ／Ｄ１ｂにより抵抗１０４と抵抗１０５で構成する充電電圧分圧回路を介して充電電圧の検出を行い、Ａ／Ｄ変換し、その検出結果をマイコン１ａのＲＡＭに記憶する。次にステップＳ２０４にてＲＡＭに記憶されている充電電圧が第１の所定電圧であるところの充電完了電圧であるか否かの判定を行い、ステップＳ２０４にて充電の完了が検出されなかったら、ステップＳ２０７に進み、ステップＳ２０１にて開始した充電タイマーが所定時間経過したか否かの判定を行い、充電タイマーが所定時間経過していたらステップＳ２０８に進み、ステップＳ２０２にて開始した充電を停止して、ステップＳ２０９にて充電ＮＧのフラグを立てて、充電シーケンスを終了する。また、充電タイマーが所定時間経過していない場合は、ステップＳ２０２に戻り、充電を継続する。そしてステップＳ２０３、ステップＳ２０４、ステップＳ２０７、のルーチンを繰り返しながら、ステップＳ２０４で第１の所定電圧であるところの充電完了電圧を検出したらステップＳ２０５に進み、ステップＳ２０２にて開始した充電を停止して、ステップＳ２０６で充電ＯＫフラグを立てて充電シーケンスを終了する。
【００２７】
次にステップＳ１０７のフラッシュモードで充電シーケンスが終了したら、ステップＳ１０８の充電が完了したか否かの判定をする。この判定は、ステップＳ１０７の充電シーケンスにて充電がＯＫになったか否かのフラグの結果であり、充電がＯＫで完了していたら、ステップＳ１０９のＳＷ２オンの待機状態になる。また、充電がＮＧで完了していなかったら、ステップＳ１０２のＳＷ１オンの検出に戻る。
【００２８】
次にステップＳ１０９でＳＷ２オンの待機状態からＳＷ２オンを検出したらステップＳ１１０に進み、ステップＳ１０４において行った測距のマイコン１ａのＲＡＭに記憶している測距データに従い、レンズ駆動回路９により撮影レンズの駆動制御を行う。次に、ステップＳ１１１に進み、ステップＳ１０５にて行った測光のマイコン１ａのＲＡＭに記憶している測光データに従い、ストロボ発光が必要であったら制御ＩＣ１からのトリガー信号を図２中の端子ｃに入力することによりトリガートランス１１６から発光信号を出力し、ストロボ発光を行うとともに、シャッター駆動回路１０によるシャッター駆動制御を行う。次にステップＳ１１２で焦点位置にあるレンズをレンズの初期位置に戻すレンズリセットを行う。次にステップＳ１１３でフィルム駆動回路１１により次の撮影駒へのフィルム給送制御を行い、次にステップＳ１１４にてストロボ予備充電を行うか否かの判定を行う。ここでストロボ予備充電を行わない場合は、ステップＳ１０５にて行った測光結果をもとにステップＳ１０６にて判定した結果がストロボ発光撮影モードでない場合である。また、ストロボ予備充電を行う場合は、ステップＳ１０５にて行った測光結果をもとにステップＳ１０６にて判定した結果がストロボ発光撮影モードであった場合である。ここで、ステップＳ１１４の判定結果がストロボ予備充電を行わない場合は、ステップＳ１０１のＳＷ１オンの検出に戻る。また、ステップＳ１１４の判定結果がストロボ予備充電を行う場合には、ステップＳ１１５に進む。ステップＳ１１５のフラッシュモードは、前述したステップＳ１０７のフラッシュモードと同様のシーケンスなので説明を省略する。その後、ステップＳ１１５でのストロボ充電が終了したら、一連のカメラシーケンスを終了し、ステップＳ１０１に戻る。
【００２９】
以上本発明における実施例を説明したが、上記実施例中のストロボ充電回路１０３は、公知のフォワード昇圧回路、或いはフライバック昇圧回路の両昇圧回路のどちらであっても良いことは言うまでもない。
【００３０】
また、ストロボ充電回路１０３がフライバック昇圧回路である場合においては、充電電流を増やすことにより充電時間を短くすることができる。よって、前述のステップＳ１１９のＥＬモード時は、ステップＳ１０７及びステップＳ１１５のフラッシュモード（図３の第１の充電モード）時より充電電流を増やして充電を行うことにより、図３に示す第２の充電モードのように更に点灯開始可能な電圧である第２の所定電圧まで時間を短縮することができ、応答性良くすることができる。
【図面の簡単な説明】
【００３１】
【図１】本発明の一実施例におけるカメラ本体の電気的な構成を示すブロック図である。
【図２】本発明の一実施例におけるストロボの電気的な構成を示す回路図である。
【図３】図２のストロボにおけるストロボ充電時及びＥＬ点灯時の主コンデンサ充電波形を示す図である。
【図４】図２のストロボにおけるＥＬ駆動中のＥＬ間電圧を示すタイミングチャートである。
【図５】本発明の一実施例におけるカメラ動作を示すフローチャートである。
【図６】本発明の一実施例におけるＥＬモードを示すフローチャートである。
【図７】本発明の一実施例におけるフラッシュモードを示すフローチャートである。
【符号の説明】
【００３２】
１      制御ＩＣ
１ａ    マイコン
１ｂ    Ａ／Ｄ
２      メインスイッチ
３      撮影準備スイッチ（ＳＷ１）
４      レリーズスイッチ（ＳＷ２）
５      ＥＬスイッチ
６      ストロボ充電回路及びＥＬ点灯回路
１０１  電池
１０３  ストロボ充電回路
１０４，１０５  抵抗
１０６  ＥＬ素子
１０９  ＦＥＴ
１１７  キセノン管
１１８  主コンデンサ
【図１】
2005250332.tif 000003
【図２】
2005250332.tif 000004
【図３】
2005250332.tif 000005
【図４】
2005250332.tif 000006
【図５】
2005250332.tif 000007
【図６】
2005250332.tif 000008
【図７】
2005250332.tif 000009